(57)【要約】【課題】  音を放射する装置にバスレフポート等の管体を適用した場合に、その装置から放射される音の音質を調整可能にする技術を提供する。【解決手段】  音響装置１のバスレフポート３０の前面側の側端部３４２の内周領域は、中心軸Ｘを中心とした５回対称の非円形となっている。内周領域の面積は側端部３４２の基端部から先端部にかけて増加する。側端部３４２の内周面の山部および谷部は螺旋状に存在する。バスレフポート３０の側端部３４２は、弾性体によって構成されており、中心軸Ｘ回りに捩じり可能となっている。【選択図】図１
2017059880.tif 000002
【特許請求の範囲】
【請求項１】
中心軸に垂直な第１横断面における内周上の一の特徴点を通過して前記中心軸に直交する第１内径線と、前記第１横断面とは前記中心軸上の位置が相違する第２横断面における内周上で前記一の特徴点に対応する特徴点を通過して前記中心軸に直交する第２内径線の前記中心軸回りの相対角度が調整可能であることを特徴とするバスレフポート。
【請求項２】
前記第１横断面と前記第２横断面との間の区間の素材を弾性体としたことを特徴とする請求項１に記載のバスレフポート。
【請求項３】
エンクロージャと、
請求項１または２に記載のバスレフポートと、
を有し、
前記バスレフポートの前記第１横断面に近い開口端と前記第１横断面との間の少なくとも一部分を前記エンクロージャに固定する固定手段と、
前記バスレフポートの前記第２横断面に近い開口端と前記第２横断面との間の少なくとも一部分を前記エンクロージャに支持させて前記相対角度を保持する角度保持手段と、
を具備することを特徴とする音響装置。
【請求項４】
エンクロージャと、
中心軸に垂直な第１横断面における内周上の一の特徴点を通過して前記中心軸に直交する第１内径線と、前記第１横断面とは前記中心軸上の位置が相違する第２横断面における内周上で前記一の特徴点に対応する特徴点を通過して前記中心軸に直交する第２内径線の前記中心軸回りの相対角度が異なる複数のバスレフポートと、
を具備することを特徴とする音響装置。
【発明の詳細な説明】
【技術分野】
【０００１】
この発明は、バスレフポートおよびバスレフスピーカ等の音響装置に関する。
【背景技術】
【０００２】
スピーカユニットから背面側に放射される音を利用して低音域の音量を増強するバスレフスピーカが従来から提案されている。バスレフスピーカでは、筐体（エンクロージャ）の内部と外部とを連通させるバスレフポートが設置される。バスレフスピーカでは、バスレフポート内において空気が流れることで異音が発生していた。特許文献１には、バスレフポートの端部近傍をフレア形状（先端部に近付くほど内径が拡大する形状）とすることでこのような異音の低減を目指したバスレフスピーカが開示されている。
【先行技術文献】
【特許文献】
【０００３】
【特許文献１】特開２００８−０４８１７６号公報
【発明の概要】
【発明が解決しようとする課題】
【０００４】
ところで、スピーカから放音されるコンテンツの音は、放音対象のコンテンツの種類に適した音質で放音されることが望ましい。例えば、放音対象のコンテンツが音楽鑑賞用のものであれば、コンテンツを忠実に再生した音（換言すると、ノイズが少なく明瞭で締まった音）がスピーカから放音されることが望ましい。これに対して、放音対象のコンテンツが映画鑑賞用のものであれば、音楽鑑賞用のコンテンツを再生した際の音に比べてノイズを多く含む音（換言すると、雑味があり迫力のある音）がスピーカから放音されることが望ましい。
【０００５】
しかし、特許文献１に開示されたフレア形状のバスレフポートを有するバスレフスピーカを用いても、放音対象のコンテンツの種類毎に適した音質で放音対象のコンテンツの音を放音することができない。すなわち、特許文献１のバスレフスピーカを用いても当該バスレフスピーカから放射される音の音質を調整することができない。
【０００６】
この発明は以上のような事情に鑑みてなされたものであり、音を放射する装置にバスレフポート等の管体を適用した場合に、その装置から放射される音の音質を調整可能にする技術を提供することを目的としている。
【課題を解決するための手段】
【０００７】
この発明は、中心軸に垂直な第１横断面における内周上の一の特徴点を通過して前記中心軸に直交する第１内径線と、前記第１横断面とは前記中心軸上の位置が相違する第２横断面における内周上で前記一の特徴点に対応する特徴点を通過して前記中心軸に直交する第２内径線の前記中心軸回りの相対角度が調整可能であることを特徴とするバスレフポートを提供する。
【０００８】
この発明によれば、第１横断面内の第１内径線と第２横断面内の第２内径線の中心軸回りの相対角度が調整可能である。第１内径線および第２内径線は、相互に対応する特徴点を通過しているため、第１内径線と第２内径線の中心軸回りの相対角度が変わると、バスレフポートの内周面によって囲まれた領域全体の形状が変化する。このため、この相対角度を調整することで、バスレフポートで発生する異音の程度を調整することができる。そして、本発明では、バスレフポートで発生する異音の程度を調整可能であるため、本バスレフポートを適用した音響装置から放射される音の音質を調整することができる。具体的には、第１内径線と第２内径線の中心軸回りの相対角度を適度に大きくすることで、バスレフポートで発生する異音の程度を小さくすることができ、その結果、この状態のバスレフポートを適用した音響装置から放射される音の音質をクリアな音質にすることができる。反対に、当該相対角度を小さくすることで、バスレフポートで発生する異音の程度を大きくすることができ、その結果、この状態のバスレフポートを適用した音響装置から放射される音の音質を歪みの多い迫力のある音質にすることができる。
【０００９】
なお、内周上の特徴点の典型例は、例えば内半径が極値となる極値点（内径の極大点または内径の極小点）であるが、例えば内周上の角部や変曲点を特徴点とすることも可能である。また、第１横断面における内周上の特徴点と第２横断面における内周上の特徴点とが相互に「対応する」とは、第１横断面内の内周で画定される図形に対する当該円周上の特徴点の位置関係と、第２横断面内の内周で画定される図形に対する当該内周上の特徴点の位置関係とが相互に同様であることを意味する。
【００１０】
また、本バスレフポートでは、内周上に特徴点を有しているため、第１内径線と第２内径線の中心軸回りの相対角度を最小（０°）にしたとしても、内周上に特徴点を有していないバスレフポート（特許文献１のバスレフポートなどの既存のバスレフポート）に比べて、バスレフポートで発生する異音を低減することができる。このため、本バスレフポートでは、内周上に特徴点を有していないバスレフポートで発生する異音の程度を越えない範囲で、バスレフポートで発生する異音の程度を変えることができる。
【図面の簡単な説明】
【００１１】
【図１】この発明の第１実施形態によるバスレフポート３０を含む音響装置１の構成を示す透視斜視図である。
【図２】同音響装置１の構成を示す断面図である。
【図３】中心軸Ｘに沿ってバスレフポート３０の側端部３４２の先端部を見た正面図である。
【図４】バスレフポート３０の側端部３４２の先端部の回転例を示す正面図である。
【図５】図４の各状態における音響装置１の周波数特性を示す図である。
【図６】この発明の第２実施形態によるバスレフポート３０Ａを含む音響装置１Ａの構成を示す斜視図である。
【図７】同バスレフポート３０Ａの側端部３４２の基端部における内径線と側端部３４２の先端部における内径線の中心軸Ｘ回りの相対角度ηを変える様子を例示する音響装置１Ａの正面模式図およびバスレフポート３０Ａの縦断面図である。
【図８】この発明の第４実施形態によるバスレフポート３０Ｃａ〜３０Ｃｃを含む音響装置１Ｃの構成を示す断面図である。
【図９】この発明の第５実施形態によるバスレフポート３０Ｄを含む音響装置１Ｄの構成を示す組み立て断面図である。
【図１０】この発明の変形例（７）の音響装置１Ｅの構成を示すブロック図である。
【発明を実施するための形態】
【００１２】
以下、図面を参照し、この発明の実施形態について説明する。
＜第１実施形態＞
図１は、この発明の第１実施形態によるバスレフポート３０を含む音響装置１の構成を示す透視斜視図である。図２は、音響装置１の構成を示す断面図である。音響装置１は、外部装置（図示略）から供給される音響信号に応じた音を放射する装置であり、具体的にはバスレフスピーカである。音響装置１は、振動板やボイスコイル等からなるスピーカユニット（図示略）、エンクロージャ１０およびバスレフポート３０を有している。
【００１３】
エンクロージャ１０は、複数の板材で構成された中空の構造体（典型的には直方体）である。本実施形態では、エンクロージャ１０を構成する複数の板材のうちの板材１２側を音響装置１の前面側と呼び、板材１２に対向する板材側を音響装置１の背面側と呼ぶ。前面側の板材１２は、音響装置１のバッフル面として機能する。このバッフル面として機能する板材１２には、円形の開口部１４が設けられている。
【００１４】
バスレフポート３０は中空の略円筒状の管体であり、エンクロージャ１０内に配置される。バスレフポート３０の両端は、開口している。バスレフポート３０の一方の開口端３６２は、板材１２の開口部１４に配置される。バスレフポート３０の他方の開口端３６４は、エンクロージャ１０内において開口している。エンクロージャ１０内の空間とエンクロージャ１０外の空間は、バスレフポート３０および開口部１４を介して繋がっている。このため、バスレフポート３０内には、エンクロージャ１０の内外の空気が流通する。また、バスレフポート３０およびエンクロージャ１０は、ヘルムホルツ共鳴器を構成している。
【００１５】
ここで、バスレフポート３０単体の構成を詳細に説明する。本明細書では、バスレフポートにおける管の中心となる線を中心軸Ｘと呼ぶ。本実施形態のバスレフポート３０は、中心軸Ｘ回りに捩じることが可能になっている。
【００１６】
バスレフポート３０は、中心軸Ｘに沿って順に側端部３４２と中間部３２と側端部３４４とに区分され得る。この側端部３４２と中間部３２と側端部３４４において、中心軸Ｘに垂直な面（以下、横断面という）内で当該バスレフポート３０の内周面（換言すると、内壁面）４２により包囲された領域（以下、内周領域という）Ｑは、バスレフポート３０内の空気の流路の断面（管内断面）に相当する。中間部３２は、内周領域Ｑの面積が中心軸Ｘに沿って略一定に維持された形状になっている。より具体的には、中間部３２は、横断面におけるバスレフポート３０の断面形状が円環状になっており、横断面における内径が中心軸Ｘに沿って略一定に維持されている。側端部３４２は、中心軸Ｘに垂直な横断面内で当該バスレフポート３０の内周領域Ｑの面積が中間部３２側の端部から開口端３６２にかけて連続して増加する形状（以下、フレア形状という）になっている。側端部３４４も側端部３４２と同様に、内周領域Ｑの面積が当該側端部３４４における中間部３２側の端部から開口端３６４にかけて連続して増加する形状になっている。以下では、側端部３４２における中間部３２側の端部を基端部と呼び、側端部３４２における開口端３６２側の端部を先端部と呼ぶ。側端部３４４についても側端部３４２と同様である。
【００１７】
図３は、中心軸Ｘに沿ってバスレフポート３０の側端部３４２の先端部側を見た正面図である。側端部３４２は、例えると、ヒルガオの花等の漏斗状花冠に似た形状であり、花弁が並んだ周方向に当該漏斗状花冠が捩じられたような形状である。側端部３４４も側端部３４２と同様である。以下、側端部３４２を例に側端部３４２および３４４の構成をより詳細に説明する。
【００１８】
側端部３４２の内周領域Ｑは、中心軸Ｘを中心としたＮ回対称（Ｎは２以上の自然数）の回転対称性を有する非円形である。図１〜図３では、側端部３４２の内周領域Ｑを５回対称の非円形とした場合を例示する。内周領域Ｑの形状は、側端部３４２の先端部から基端部にかけて５回対称の非円形から徐々に円形に近づき、基端部にて略円形となって中間部３２の円形の内周領域に連続する。
【００１９】
横断面と内周面４２との交線（すなわち、内周領域Ｑの輪郭線）上の任意の１点と中心軸Ｘとの距離を側端部３４２の内半径と定義すると、側端部３４２の内周領域Ｑは、中心軸Ｘを中心とした周方向に内半径が変化する形状とも表現され得る。具体的には、中心軸Ｘの周囲の７２°を単位（周期）として内半径が周期的かつ連続的に増減する。従って、内周領域Ｑの輪郭線上には、内半径が極大となる５個（一般的にはＮ個）の極大点ＰＡと内半径が極小となる同数の極小点ＰＢとが存在し、中心軸Ｘを中心とした３６°毎に極大点ＰＡと極小点ＰＢとが周方向に交互に配列する。極大点ＰＡおよび極小点ＰＢのような極値点は、横断面におけるバスレフポート３０の内周上の特徴点の典型例である。また、極大点ＰＡは、内周面４２の谷部の底点に相当し、極小点ＰＢは、内周面４２の山部の頂点に相当する。したがって、内周領域Ｑの輪郭線は、５個の山部と５個の谷部とが周方向に交互に配列する閉曲線とも換言され得る。以上の説明から、内周領域Ｑは、中心軸Ｘを中心とした周方向に曲率を反復的に増減させた形状である。具体的には、内周領域Ｑの輪郭線の曲率は、周方向に沿って正数と負数の一方から他方に反復的に変動する。すなわち、内周領域Ｑは、曲率中心が内周領域Ｑ内に位置する範囲と曲率中心が内周領域Ｑ外に位置する範囲とが周方向に沿って交互に反復する。
【００２０】
ここで、中心軸Ｘに垂直な横断面における内周面上の任意の１個の極大点ＰＡを通過するとともに中心軸Ｘに直交する直線（以下「内径線」という）Ｌを想定する。すなわち、内径線Ｌは、中心軸Ｘから半径方向に延びて極大点ＰＡを通過する直線である。また、中心軸Ｘに垂直な特定の横断面（例えば、側端部３４２の基端部における横断面）を基準横断面と想定する。そして、この基準横断面における内周上の一の特徴点（例えば、極大点ＰＡ）と中心軸Ｘとを含む特定の縦断面（以下、基準平面という）ＶＲＥＦを想定する。
【００２１】
側端部３４２では、基準平面ＶＲＥＦに対する内径線Ｌの角度が中心軸Ｘ上の横断面の位置に応じて連続に変化している。具体的には、中心軸Ｘ上における横断面の基端部側から先端部側への移動に対して、内径線Ｌは、時計回りに連続に回転する。従って、各横断面内で相互に対応する極大点ＰＡを複数の横断面について相互に連結した軌跡ＲＡは、中心軸Ｘに沿って中心軸Ｘの周囲を回転する螺線状となる。同様に、各横断面内の極小点ＰＢを複数の横断面について相互に連結した軌跡ＲＢも螺線状となる。すなわち、内周面の谷部（極大点ＰＡの軌跡ＲＡ）および山部（極小点ＰＢの軌跡ＲＢ）は、中心軸Ｘに沿って中心軸Ｘの周囲に螺線状に存在する。また、極大点ＰＡの軌跡ＲＡと極小点ＰＢの軌跡ＲＢとは、形状（曲率や全長）が相違する。具体的には、軌跡ＲＡの全長は軌跡ＲＢの全長を上回る。
【００２２】
そして、側端部３４２では、基端部から先端部（すなわち側端部３４２の両端間の全域）にかけて内径線Ｌが角度ηだけ回転している。角度ηは任意の適切な数値に設定される。例えば、角度ηは１８°（すなわち、３６０°／４Ｎ）である。すなわち、角度ηは、側端部３４２の基端部における横断面内の内径線Ｌと側端部３４２の先端部における横断面内の内径線Ｌの中心軸Ｘ回りの相対角度である。
【００２３】
また、側端部３４２では、中心軸Ｘに沿って横断面が所定の単位量だけ移動した場合の内径線Ｌの回転角度（以下「角度変化率」という）が中心軸Ｘ上の横断面の位置に応じて相違している。具体的には、側端部３４２のうちバスレフポート３０の先端部側のほうが基端部側と比較して角度変化率が大きい。従って、バスレフポート３０の正面から側端部３４２の先端部を観察した場合に観察される軌跡ＲＡ（すなわち、中心軸Ｘに垂直な投影面に対する軌跡ＲＡの投影像）は、所定の曲率ρの曲線となる。曲率ρは、例えば１/５０［１/ｍｍ］（曲率半径：５０ｍｍ）程度の数値に設定される。
【００２４】
図１に示すように、バスレフポート３０の側端部３４２の先端部（すなわち、開口端３６２）には、フランジ４４２が設けられており、側端部３４４の先端部（すなわち、開口端３６４）には、フランジ４４４が設けられている。フランジ４４２は、中心軸Ｘから遠ざかる方向に側端部３４２の先端部から張り出す板状の部材である。フランジ４４４は、中心軸Ｘから遠ざかる方向に側端部３４４の先端部から張り出す板状の部材である。フランジ４４２および４４４の外縁は、円形となっている。
【００２５】
バスレフポート３０の中間部３２、側端部３４４、フランジ４４２および４４４は、ユーザによって外力が与えられても容易に変形しない程度の剛性を有している。具体的は、それら中間部３２等は、金属や合成樹脂などの素材によって構成されている。これに対して、バスレフポート３０の側端部３４２は、成形された状態で中間部３２よりも柔軟になっている。具体的には、側端部３４２は、柔軟性を有する素材（より具体的には、ゴムなどの弾性体）によって構成されている。側端部３４２が弾性体によって構成されていることで、側端部３４２は、中間部３２に対して容易に弾性変形する。
【００２６】
次に、上記したバスレフポート３０が音響装置１に設置された状態の音響装置１の構成を詳細に説明する。図１および図２に示すように、エンクロージャ１０内には、ポート留め具６２および６４が設けられている。ポート留め具６２および６４は、バスレフポート３０の背面側の側端部３４４の先端部をエンクロージャ１０内の所定の位置に固定する固定手段である。より詳細には、ポート留め具６２および６４は、長方形の板状の部材である。ポート留め具６２の一方の短辺付近は、エンクロージャ１０を構成する上側の板材１１に固定されており、ポート留め具６２の他方の短辺付近は、フランジ４４４におけるエンクロージャ１０の板材１１に近い部分に固定されている。同様に、ポート留め具６４の一方の短辺付近は、エンクロージャ１０を構成する下側の板材１３に固定されており、ポート留め具６４の他方の短辺付近は、フランジ４４４におけるエンクロージャ１０の板材１３に近い部分に固定されている。バスレフポート３０の側端部３４４の先端部がポート留め具６２および６４によってエンクロージャ１０に固定され、側端部３４４および中間部３２が剛性を有しているため、中間部３２の側端部３４２側の端部の位置は、エンクロージャ１０に対して固定される。
【００２７】
側端部３４２側のフランジ４４２の外径は、エンクロージャ１０の開口部１４の内径よりも僅かに小さくなっている。そして、側端部３４２側のフランジ４４２がエンクロージャ１０の開口部１４に収容されている。フランジ４４２が開口部１４に収容されることで、バスレフポート３０の前面側の開口端３６２は、エンクロージャ１０に支持される。
【００２８】
バスレフポート３０のフランジ４４２は、エンクロージャに１０に固定されていないため、エンクロージャ１０に対して中心軸Ｘを中心に周方向に回転可能となっている。具体的には、フランジ４４２は剛性を有しているため、ユーザによる回転操作がフランジ４４２に与えられると、フランジ４４２の回転に従って側端部３４２の先端部が回転する。ここで、側端部３４２が弾性体によって構成されている。また、中間部３２の側端部３４２側の端部の位置がエンクロージャ１０に対して固定されている。このため、側端部３４２の先端部が回転すると、側端部３４２は、弾性変形して当該側端部３４２の基端部に対して中心軸Ｘ回りに捩じれる。
【００２９】
図１および図２に示すように、フランジ４４２の外縁におけるエンクロージャ１０内に位置する部分には、ギア部５２が設けられている。ギア部５２は、フランジ４４２の径方向に突出した山部と径方向に窪んだ谷部とがフランジ４４２の外縁に沿って繰り返されている部分である。ギア部５２の山部および谷部は、例えば、三角状になっており、中心軸Ｘを中心とした周方向に単位角度（例えば１度）の周期で繰り返されている。
【００３０】
エンクロージャ１０の板材１２の内側面には、略長方形の板バネ５４が設けられている。より詳細には、板バネ５４は、その板面が板材１２に垂直になり、長辺が板材１２に平行になるような姿勢で配置される。板バネ５４の一方の短辺側は、エンクロージャ１０の板材１２から内側に突出する円柱状のピン（図示略）の回りに開口端１４から離れる方向に巻かれている。板バネ５４の他方の短辺側は、エンクロージャ１０の開口端１４へ近づく方向に略Ｖ字状に折れ曲がっている。板バネ５４は、巻かれている側の端部を支点として、略Ｖ字状に折れ曲がっているＶ字端に開口部１４に向かう方向の力が付与される構成となっている。Ｖ字端は、Ｖ字端の鋭角に折れ曲がっている部分がギア部５２の三角状の谷部に丁度収まるようにギア部５２に押し付けられている。側端部３４２の先端部がユーザによって回転されていない基準状態では、板バネ５４のＶ字端は、ギア部５２の基準となる基準谷部に収まっている。
【００３１】
開口部１４に収容されているフランジ４４２は、ユーザの操作によってその周方向の力が与えられると、中心軸Ｘを中心として周方向に回転する。フランジ４４２が回転すると、フランジ４４２が接続されている側端部３４２の先端部における内径線Ｌの角度が変化する。また、フランジ４４２は、ギア部５２によって板バネ５４を中心軸Ｘから離れる方向へ持ち上げつつ回転する。より詳細には、フランジ４４２の回転に応じて、ギア部５２の谷部に収まっていた板バネ５４のＶ字端は、その谷部の隣の山部によって持ち上げられて当該山部を乗り越え、乗り越えた先の谷部に収まる。そして、ユーザの操作によるフランジ４４２の周方向の力がなくなると、板バネ５４のＶ字端は、移動後の谷部においてギア部５２を押し付けて、弾性変形した側端部３４２が元の状態に戻ろうとする力に抗して当該谷部に収容された状態を維持する。すなわち、ギア部５２および板バネ５４は、側端部３４２の先端部における内径線の角度を保持する角度保持手段としての役割を果たす。
【００３２】
図４（Ｂ）は、側端部３４２の先端部を回転していない基準状態におけるバスレフポート３０の構成を示す正面図である。図４（Ａ）は、基準状態に対して側端部３４２の先端部を時計回りに１８°回転した状態（基準平面ＶＲＥＦを反時計回りに１８°回転して示した状態）のバスレフポート３０の構成を示す正面図である。図４（Ｃ）は、基準状態に対して側端部３４２の先端部を反時計回りに１８°回転した状態（基準平面ＶＲＥＦを時計回りに１８°回転して示した状態）のバスレフポート３０の構成を示す正面図である。図４（Ａ）〜図４（Ｃ）では、側端部３４２の基端部における横断面を第１横断面と想定し、側端部３４２の先端部における横断面を第２横断面と想定する。また、側端部３４２の先端部における一の極大点ＰＡ−Ｐは、側端部３４２の基端部における一の極大点ＰＡ−Ｂに対応しており、極大点ＰＡ−Ｐと極大点ＰＡ−Ｂとは、同一軌跡上に存在する。また、内径線Ｌ−Ｂは、極大点ＰＡ−Ｂを通って中心軸Ｘに直交する第１内径線であり、内径線Ｌ−Ｐは、極大点ＰＡ−Ｐを通って中心軸Ｘに直交する第２内径線である。また、角度ηは、内径線Ｌ−Ｂ（第１内径線）と内径線Ｌ−Ｐ（第２内径線）の中心軸Ｘ回りの相対角度（以下、単に内径線の相対角度ηという）である。また、側端部３４２の基端部における極大点ＰＡ−Ｂと中心軸Ｘとを含む縦断面を基準平面ＶＲＥＦと想定すると、角度ηは、基準平面ＶＲＥＦに対する内径線Ｌ−Ｐの角度である。また、図４では、側端部３４２の先端部を見たときの時計回り方向を回転角度の正方向、反時計回り方向を回転角度の負方向とする。
【００３３】
図４（Ｂ）に示すように、基準状態では、内径線の相対角度ηは、バスレフポート３０単体のときと同じ角度（具体的には、時計回りに１８°）である。この基準状態から側端部３４２の先端部を時計回りに回転すると、図４（Ａ）に示すように、内径線の相対角度ηは、基準状態における内径線の相対角度η（１８°）と側端部３４２の先端部に与えた回転角度（＋１８°）の合計の角度（３６°）となる。このとき、極大点ＰＡ−ＢおよびＰＡ−Ｐを通る極大点の軌跡が伸長される。すなわち、この場合、側端部３４２の内周面上の特徴点の軌跡の捩じれ量が、基準状態のそれよりもさらに大きくなる。また、このとき、極大点ＰＡ−ＢおよびＰＡ−Ｐを通る極大点の軌跡の曲率ρは、所定の値に概ね維持される。
【００３４】
また、基準状態から側端部３４２の先端部を反時計回りに回転すると、図４（Ｃ）に示すように、内径線の相対角度ηは、基準状態における内径線の相対角度η（１８°）と側端部３４２の先端部に与えた回転角度（−１８°）の合計の角度（０°）となる。このとき、極大点ＰＡ−ＢおよびＰＡ−Ｐを通る極大点の軌跡が短縮される。すなわち、この場合、側端部３４２の内周面上の特徴点の軌跡の捩じれ量が、基準状態のそれよりも小さくなる。図４（Ｃ）は、その特徴点の軌跡の中心軸Ｘ回りの捩じれがなくなった状態を示している。また、図４（Ｃ）では、極大点ＰＡ−ＢおよびＰＡ−Ｐを通る極大点の軌跡の曲率ρは、無限大となっている。
【００３５】
このように、音響装置１では、側端部３４２の先端部の時計回りまたは反時計回りの回転に応じて、側端部３４２における内周面によって囲まれた領域全体の形状を変えることができる。なお、図４（Ａ）〜図４（Ｃ）は一例であり、側端部３４２の先端部の回転角度および内径線の相対角度ηはこの例に限らない。
【００３６】
図５は、図４の各状態における音響装置１の周波数特性を示す図である。図５の実線Ｆ１は、側端部３４２が基準状態（具体的には、図４（Ｂ）の状態）のときの音響装置１の周波数特性を示している。図５の破線Ｆ３は、側端部３４２の内周面上の特徴点の軌跡が基準状態のそれよりも中心軸Ｘ回りに捩じれている状態（具体的には、図４（Ａ）の状態）のときの音響装置１の周波数特性を示している。図５の一点鎖線Ｆ２は、側端部３４２の内周面上の特徴点の軌跡の中心軸Ｘ回りの捩じれがなくなった状態（具体的には、図４（Ｃ）の状態）のときの音響装置１の周波数特性を示している。音響装置１の周波数特性は、図５の実線Ｆ１、図５の一点鎖線Ｆ２および図５の破線Ｆ３がそれぞれ示す状態で異なっている。これは、バスレフポート３０の側端部３４２の先端部を回転することで（すなわち、内径線の相対角度ηを変えることで）、音響装置１の周波数特性を変えることができることを表している。すなわち、バスレフポート３０を含む音響装置１では、音響装置１から放射される音の音質を変更することができる。この理由を、以下に推察する。
【００３７】
まず、バスレフスピーカでは、バスレフポートの内部を流通する空気の流速が高いと、バスレフポートの内部（具体的には内周面近傍）や先端部の近傍で空気流が乱れて渦輪（ｖｏｒｔｅｘ  ｒｉｎｇ）が発生する。バスレフポートの端部近傍を単にフレア形状とした既存のバスレフポート（例えば特許文献１のバスレフポート）では、バスレフポートの内周領域がバスレフポートの全区間にわたって円形に維持されている。このため、既存のバスレフポートでは、渦輪が中心軸に沿った狭い範囲（すなわち局所的）に発生する。同時刻に略同位置にほぼ位相が揃った渦輪が中心軸に沿った狭い範囲（すなわち局所的）に発生するため、渦輪の渦の強さ（空気の乱れの大きさ）が大きくなる。これにより、バスレフポートの管共鳴が強く励振され、その結果バスレフポートから大きな異音が発生する。
【００３８】
これに対して、図４（Ｃ）に示す状態の本実施形態のバスレフポート（以下、便宜的に花冠形状のバスレフポートという）では、内周領域の形状が非円形であり、縦断面内での内周面の形状（例えば極大点の軌跡や極小点の軌跡）が周方向の各位置で相違する。すなわち、花冠形状のバスレフポートは、バスレフポート内の領域の幾何学的な対称性が既存のバスレフポートに比べて低くなっている。花冠形状のバスレフポートでは、空気が内周面から剥離する位置が内周方向に沿って変わるため、渦輪が発生する領域が中心軸に沿った広い範囲に分散される。これにより、花冠形状のバスレフポートでは、既存のバスレフポートに比べて、位相が揃った渦輪が同時刻に略同位置に発生する度合いが小さくなり、バスレフポートの管共鳴が励振される程度が弱くなる。このため、花冠形状のバスレフポートは、既存のフレア形状のみのバスレフポートに比べ異音が低減される。
【００３９】
さらに、図４（Ｂ）に示す状態の本実施形態のバスレフポート（以下、便宜的に螺旋花冠形状のバスレフポートという）は、内周領域の形状が非円形であることに加え、中心軸Ｘに沿って進むに従って内周領域が中心軸Ｘ回りに回転しており、内周面の谷部（極大点ＰＡの軌跡ＲＡ）および山部（極小点ＰＢの軌跡ＲＢ）が螺線状となっている。すなわち、螺旋花冠形状のバスレフポートは、既存のフレア形状のみのバスレフポートだけでなく花冠形状のバスレフポートに比べてもバスレフポート内の領域の幾何学的な対称性が低くなっている。これにより、螺旋花冠形状のバスレフポートでは、花冠形状のバスレフポートに比べて、位相が揃った渦輪が同時刻に略同位置に発生する度合いがさらに小さくなり、バスレフポートの管共鳴が励振される程度がさらに弱くなる。このため、螺旋花冠形状のバスレフポートは、花冠形状のバスレフポートに比べ異音がさらに低減される。
【００４０】
図４（Ａ）に示す状態の本実施形態のバスレフポートは、内周面の谷部（極大点ＰＡの軌跡ＲＡ）および山部（極小点ＰＢの軌跡ＲＢ）の捩じれ度合いが、図４（Ｂ）に示す状態の本実施形態のバスレフポートよりもさらに大きい。すなわち、捩じれ度合いが過度に大きくなっている。捩じれ度合いが過度に大きい図４（Ａ）の状態では、適度に捩じれている図４（Ｂ）の状態に比べ、内壁面の近傍における空気流の乱れが返って発生し易くなる。これにより、過度に捩じれている螺旋花冠形状のバスレフポートでは、適度に捩じれている螺旋花冠形状のバスレフポートに比べ異音が大きくなる。
【００４１】
このように、バスレフポートの内周面が適度に捩じれている（図４（Ｂ））とバスレフポートから発生する異音が最も小さくなり、バスレフポートの内周面が捩じれていない（図４（Ｃ））、または、バスレフポートの内周面が過度に捩じれている（図４（Ａ））と、バスレフポートから発生する異音が既存のバスレフポートにおいて発生する異音の程度を概ね越えない範囲で大きくなる。そして、音響装置１から放射される音にバスレフポート３０から発生する異音が含まれることで、音響装置１から放射される音の音質が特徴付けられる。例えば、音響装置１から放射される音に含まれるバスレフポートの異音が小さい場合、音響装置１から放射される音の音質は、ノイズの少ない音質の音となる。また、音響装置１から放射される音に含まれるバスレフポートの異音が大きい場合、音響装置１から放射される音の音質は、ノイズの多い音質の音となる。
【００４２】
以上のように、本実施形態のバスレフポート３０を含む音響装置１によれば、第１横断面（例えば側端部３４２の基端部を含む中心軸Ｘに垂直な面）内の第１内径線（例えば内径線Ｌ−Ｂ）と第２横断面（例えば側端部３４２の先端部を含む中心軸Ｘに垂直な面）内の第２内径線（内径線Ｌ−Ｐ）の中心軸Ｘ回りの相対角度ηが調整可能である。第１内径線は特徴点（例えば極大点ＰＡ−Ｂ）を通過し、第２内径線は特徴点（例えば極大点ＰＡ−Ｐ）を通過し、それらの特徴点（極大点ＰＡ−Ｂと極大点ＰＡ−Ｐ）は相互に対応しているため、第１内径線と第２内径線の中心軸Ｘ回りの相対角度ηが変わると、バスレフポート３０の側端部３４２の内周面によって囲まれた領域全体の形状が変化し、その内周面によって囲まれた領域の幾何学的な対称性が変化する。このため、この相対角度ηを調整することで、バスレフポート３０で発生する異音の程度を調整することができる。本実施形態では、バスレフポート３０で発生する異音の程度を調整可能であるため、バスレフポート３０を適用した音響装置１から放射される音の音質を調整することができる。具体的には、第１内径線と第２内径線の中心軸回りの相対角度ηを適度に大きくする（例えば、相対角度ηを１８°とする）ことで、バスレフポート３０で発生する異音の程度を小さくすることができ、その結果、この状態のバスレフポート３０を適用した音響装置１から放射される音の音質を歪みの少ないクリアな音質にすることができる。反対に、当該相対角度ηを小さくする（例えば、相対角度ηを０°とする）ことで、バスレフポート３０で発生する異音の程度を大きくすることができ、その結果、この状態のバスレフポート３０を適用した音響装置１から放射される音の音質を歪みの多い迫力のある音質にすることができる。
【００４３】
また、本実施形態のバスレフポート３０では、内周上に特徴点（例えば極大点）を有しているため、第１内径線と第２内径線の中心軸回りの相対角度ηを最小（０°）にしたとしても、内周上に特徴点を有していないバスレフポート（特許文献１のバスレフポートなどの既存のバスレフポート）に比べて、バスレフポート３０で発生する異音を低減することができる。このため、本バスレフポート３０では、内周上に特徴点を有していないバスレフポートで発生する異音の程度を越えない範囲で、バスレフポート３０で発生する異音の程度を変えることができる。
【００４４】
＜第２実施形態＞
図６は、この発明の第２実施形態によるバスレフポート３０Ａを含む音響装置１Ａの構成を示す斜視図である。音響装置１Ａは、エンクロージャ１０に代えてエンクロージャ１０Ａを有する点およびバスレフポート３０に代えてバスレフポート３０Ａを有する点において第１実施形態の音響装置１と異なる。
【００４５】
エンクロージャ１０Ａは、板材１２に代えて板材１２Ａを有する点および板バネ５４を有していない点においてエンクロージャ１０と異なる。板材１２Ａは、円形の開口部１４に代えて多角形（図６の例では正六角形）の開口部１４Ａが設けられている点において板材１２と異なる。
【００４６】
バスレフポート３０Ａは、フランジ４４２に代えてフランジ４４２Ａを有する点においてバスレフポート３０と異なる。フランジ４４２Ａは、その外縁の形状がエンクロージャ１０Ａの開口部１４Ａの形状と同じ形状の多角形（図６の例では正六角形）である点においてフランジ４４２と異なる。フランジ４４２Ａの寸法は開口部１４Ａの寸法よりも僅かに小さくなっている。フランジ４４２Ａは、開口部１４Ａに収容されている。フランジ４４２Ａおよび開口部１４Ａの形状がそれぞれ多角形であるため、フランジ４４２Ａが開口部１４Ａに収容された状態では、フランジ４４２Ａは、中心軸Ｘを中心に回転しない。このため、バスレフポート３０Ａの側端部３４２の先端部における内径線の角度が保持される。すなわち、音響装置１Ａでは、フランジ４４２および開口端１４Ａの形状によって、側端部３４２の基端部における内径線と側端部３４２の先端部における内径線の中心軸Ｘ回りの相対角度ηが保持されている。
【００４７】
図７（Ａ）〜図７（Ｃ）は、側端部３４２の基端部における内径線と側端部３４２の先端部における内径線の中心軸Ｘ回りの相対角度ηを変える様子を例示する音響装置１Ａの正面模式図である。図７（Ａ）〜図７（Ｃ）の例では、図７（Ａ）、図７（Ｂ）、図７（Ｃ）の順に音響装置１Ａの状態が変化する。図７（Ｄ）は、図７（Ａ）の状態におけるバスレフポート３０Ａの縦断面図であり、図７（Ｅ）は、図７（Ｂ）の状態におけるバスレフポート３０Ａの縦断面図であり、図７（Ｆ）は、図７（Ｃ）の状態におけるバスレフポート３０Ａの縦断面図である。
【００４８】
フランジ４４２Ａの６個の角部のうちの角部ＦＡ１に着目する。図７（Ａ）の状態では、フランジ４４２Ａは、角部ＦＡ１が開口部１４Ａの６個の角部のうちの角部ＯＡ１に合うように収容されている。この状態のバスレフポート３０Ａは、バスレフポート３０Ａがエンクロージャ１０Ａに設置されていないときの状態と同じ基準状態となっている。具体的には、図７（Ｄ）に示すように、側端部３４２の基端部における内径線と側端部３４２の先端部における内径線の中心軸Ｘ回りの相対角度ηが１８°となっている。
【００４９】
音響装置１Ａから放射される音の音質を変えたい場合、ユーザは、まず、フランジ４４２Ａを音響装置１Ａの前方へ引いて、収容されていた開口部１４Ａから当該フランジ４４２Ａを取り出す。本実施形態のバスレフポート３０Ａの側端部３４２の素材は、第１実施形態のバスレフポート３０と同様に、弾性体である。このため、ユーザによるフランジ４４２Ａの開口部１４Ａからの引き出しに伴って、側端部３４２は、中心軸Ｘに沿った方向に伸びる。そして、ユーザは、図７（Ｂ）に示すように、フランジ４４２Ａを開口部１４Ａから引き出した状態で中心軸Ｘの周りに回転する。図７（Ｂ）は、音響装置１Ａの前方から板材１２Ａを見たときの時計回りにフランジ４４２Ａを回転した例である。ユーザは、フランジ４４２Ａの角部ＦＡ１が開口部１４Ａの他の角部（図７（Ｃ）では角部ＯＡ２）に合うような位置でフランジ４４２Ａの回転を止める。その状態で、ユーザは、フランジ４４２Ａを音響装置１Ａの後方へ押し戻しつつ、角部ＦＡ１が角部ＯＡ２に合うように当該フランジ４４２Ａを開口部１４Ａに再び収容する。この際、側端部３４２は、中心軸Ｘに沿った方向に縮む。これにより、フランジ４４２Ａは、ユーザによる当該フランジ４４２Ａの回転操作の前とは異なる状態でエンクロージャ１０に支持される。すなわち、側端部３４２が捩じられて、側端部３４２の基端部における内径線と側端部３４２の先端部における内径線の中心軸Ｘ回りの相対角度ηが、フランジ４４２Ａの回転操作の前の相対角度ηとは異なる角度で保持される。図７（Ｄ）の例は、正六角形の開口部１４Ａにおける角部ＯＡ１の隣の角部ＯＡ２の位置にフランジ４４２Ａの角部ＦＡ１が収容されるため、側端部３４２の基端部における内径線と側端部３４２の先端部における内径線の中心軸Ｘ回りの相対角度ηは、７８°（すなわち１８°＋６０°）となる。
【００５０】
以上のように、本実施形態においても、第１実施形態と同様に、第１横断面内の第１内径線と第２横断面内の第２内径線の中心軸Ｘ回りの相対角度ηが調整可能である。具体的には、図６および図７の例では、フランジ４４２Ａおよび開口部１４Ａの形状が正六角形であるため、その相対角度ηを６０°単位で変更することができる。このため、第１実施形態と同様に、バスレフポート３０Ａが設置された音響装置１Ａから放射される音の音質を調整することができる。
【００５１】
また、音響装置１Ａでは、第１実施形態の板バネ５４およびギア部５２を有する構成に比べより簡単な構成で内径線の相対角度ηを保持することができる。
【００５２】
なお、図６および図７では、フランジ４４２Ａおよび開口部１４Ａの形状は正六角形であった。しかし、フランジ４４２Ａおよび開口部１４Ａは、正六角形に限らない。例えば、フランジ４４２Ａおよび開口部１４Ａは正八角形であっても良い。この場合、側端部３４２の先端部における基準平面に対する内径線の角度を４５°単位で変更することができる。また、フランジ４４２Ａおよび開口部１４Ａは、正多角形に限らない。例えば、フランジ４４２Ａは、その外縁に任意の形状の凹凸が設けられたものであり、開口部１４Ａは、その内縁にフランジ４４２Ａの凹凸が収容される任意の形状の凹凸が設けられたものであっても良い。すなわち、フランジ４４２Ａおよび開口部１４Ａは、互いに収容されて内径線の相対角度ηが保持可能であれば良く、多角形であれば良い。また、フランジ４４２Ａが六角形であり、開口部１４Ａが１２角形であるという具合に、フランジ４４２Ａにおける角部の数と開口部１４Ａにおける角部の数は、異なる数であっても良い。
【００５３】
＜第３実施形態＞
第１実施形態の音響装置１のバスレフポート３０では、中間部３２、側端部３４４、フランジ４４２および４４４が、ユーザによって外力が与えられても容易に変形しない程度の剛性を有しており、側端部３４２が、成形された状態で中間部３２等に比べ柔軟になっていた。これに対して、この発明の第３実施形態のバスレフポートは、フランジ４４２および４４４が、ユーザによって外力が与えられても容易に変形しない程度の剛性を有しており、側端部３４２、中間部３２および側端部３４４が、成形された状態でフランジ４４２および４４４よりも柔軟になっている点においてバスレフポート３０と異なる。すなわち、本実施形態のバスレフポートは、側端部３４２に加え、中間部３２および側端部３４４も柔軟な素材によって構成されている。具体的には、フランジ４４２および４４４は、金属や合成樹脂などの素材によって構成されており、側端部３４２、中間部３２および側端部３４４は、ゴムなどの弾性体によって構成されている。
【００５４】
本実施形態のバスレフポートでは、フランジ４４４がポート留め具６２および６４によってエンクロージャ１０に固定されており、側端部３４４、中間部３２および側端部３４２が弾性体によって構成されているため、フランジ４４２に周方向の外力がユーザによって与えられると、側端部３４４、中間部３２および側端部３４２が、フランジ４４４に対して弾性変形して中心軸Ｘ回りに捩じれる。本実施形態のバスレフポートは、中心軸Ｘ回りに捩じられる点において第１実施形態のバスレフポート３０と同様であるため、第１実施形態と同様の効果が得られる。
【００５５】
また、本実施形態のバスレフポートでは、弾性体で構成される中心軸Ｘ方向の区間が第１実施形態のバスレフポート３０よりも長い。このため、フランジ４４２に第１実施形態と同じ大きさの外力が与えられた場合のフランジ４４２の回転角度は、第１実施形態におけるその回転角度よりも大きくなり得る。すなわち、本実施形態のバスレフポートでは、捩じれ度合いを第１実施形態のバスレフポート３０に比べて大きくすることが可能である。従って、本実施形態のバスレフポートを有する音響装置では、当該音響装置から放射される音の音質をより大きく変化することが可能である。また、フランジ４４２の回転に応じて側端部３４２と側端部３４４の両方が捩じられる。この点からも、本実施形態のバスレフポートを有する音響装置では、側端部３４２のみが捩じられる第１実施形態に比べ、当該音響装置から放射される音の音質をより大きく変化することが可能であるといえる。
【００５６】
＜第４実施形態＞
図８は、この発明の第４実施形態による音響装置１Ｃの構成を示す断面図である。本実施形態の音響装置１Ｃは、バスレフポート３０に代えて３個のバスレフポート３０Ｃａ、３０Ｃｂおよび３０Ｃｃを有する点およびエンクロージャ１０に代えてエンクロージャ１０Ｃを有する点において第１実施形態の音響装置１と異なる。エンクロージャ１０Ｃは、板材１２に代えて板材１２Ｃを有する点においてエンクロージャ１０と異なる。板材１２Ｃは、開口部１４に代えて３個の開口部１４Ｃａ、１４Ｃｂおよび１４Ｃｃを有する点において板材１２と異なる。
【００５７】
バスレフポート３０Ｃａ〜３０Ｃｃは、側端部３４２の基端部における内径線と側端部３４２の先端部における内径線の中心軸Ｘ回りの相対角度ηが各々異なった状態で当該側端部３４２の先端部が開口部１４Ｃａ〜１４Ｃｃに固定されている点においてバスレフポート３０と異なる。より詳細には、バスレフポート３０Ｃａは、側端部３４２の基端部における内径線と側端部３４２の先端部における内径線の中心軸Ｘ回りの相対角度ηが３６°の状態で当該側端部３４２の先端部が開口部１４Ｃａに固定されている。バスレフポート３０Ｃｂは、側端部３４２の基端部における内径線と側端部３４２の先端部における内径線の中心軸Ｘ回りの相対角度ηが１８°の状態で当該側端部３４２の先端部が開口部１４Ｃｂに固定されている。バスレフポート３０Ｃｃは、側端部３４２の基端部における内径線と側端部３４２の先端部における内径線の中心軸Ｘ回りの相対角度ηが０°の状態で当該側端部３４２の先端部が開口部１４Ｃｃに固定されている。以降、バスレフポート３０Ｃａ〜３０Ｃｃおよび開口部１４Ｃａ〜１４Ｃｃを区別しないときには、バスレフポート３０Ｃおよび開口部１４Ｃと表記する。
【００５８】
音響装置１Ｃの使用に際し、ユーザは、音響装置１Ｃに設けられた複数のバスレフポート３０Ｃ（具体的には３個のバスレフポート３０Ｃａ〜３０Ｃｃ）のうちのいずれか１のバスレフポート３０Ｃを除いた他のバスレフポート３０Ｃを塞ぐ。例えば、ユーザによってバスレフポート３０Ｃａ〜３０Ｃｃのうちのバスレフポート３０Ｃａとバスレフポート３０Ｃｃとが塞がれたとする。この場合、塞がれていないバスレフポート３０Ｃｂとエンクロージャ１０Ｃとによってヘルムホルツ共鳴器が形成される。従って、この場合、内径線の相対角度ηが１８°であるバスレフポート３０Ｃｂで発生する異音を含む音が音響装置１Ｃから放射される。
【００５９】
また、例えば、ユーザによってバスレフポート３０Ｃａ〜３０Ｃｃのうちのバスレフポート３０Ｃａとバスレフポート３０Ｃｂとが塞がれたとする。この場合、塞がれていないバスレフポート３０Ｃｃとエンクロージャ１０Ｃとによってヘルムホルツ共鳴器が形成される。従って、この場合、内径線の相対角度ηが０°であるバスレフポート３０Ｃｃで発生する異音を含む音が音響装置１Ｃから放射される。
【００６０】
以上のように、音響装置１Ｃは、内径線の相対角度ηが異なる複数のバスレフポート３０Ｃの中からユーザによって選択されたバスレフポート３０Ｃに応じた音質の音を放射する。従って、第１実施形態と同様に、音響装置１Ｃから放射される音の音質を調整することができる。
【００６１】
なお、バスレフポート３０Ｃを塞ぐ方法としては、開口部１４Ｃの開口面の形状と同じ形状の部材を開口部１４Ｃに取り付ける態様が挙げられるが、この態様に限らない。
【００６２】
また、図８では、音響装置１Ｃが３個のバスレフポート３０Ｃａ〜３０Ｃｃを有する例を示していた。しかし、本実施形態の音響装置１Ｃは、内径線の相対角度ηが各々異なる２個以上のバスレフポートを有していれば良い。
【００６３】
＜第５実施形態＞
図９は、この発明の第５実施形態によるバスレフポート３０Ｄを含む音響装置１Ｄの構成を示す断面組み立て図である。本実施形態の音響装置１Ｄは、バスレフポート３０に代えて３０Ｄを有する点およびエンクロージャ１０に代えてエンクロージャ１０Ｄを有する点において第１実施形態の音響装置１と異なる。エンクロージャ１０Ｄは、板バネ５４を有していない点においてエンクロージャ１０と異なる。
【００６４】
第１実施形態のバスレフポート３０は、側端部３４２と中間部３２が接続されていた。本実施形態のバスレフポート３０Ｄは、側端部に相当するポート前部材３０Ｄ１と、中間部３２および側端部３４４に相当するポート後部材３０Ｄ２とに分離可能である点においてバスレポート３０と異なる。より詳細には、バスレフポート３０Ｄは、ポート前部材３０Ｄ１の基端部（すなわち、側端部３４２の基端部に相当する部分）とポート後部材３０Ｄ２の前面側端部（すなわち、中間部３２の前面側端部に相当する部分）とが着脱可能となっている。また、バスレフポート３０Ｄは、ポート前部材３０Ｄ１の先端部（すなわち、側端部３４２の先端部に相当する部分）のフランジ４４２とエンクロージャ１０Ｄの板材１２の開口部１４とが着脱可能となっている。そして、ポート前部材３０Ｄ１とポート後部材３０Ｄ２とが結合され、ポート前部材３０Ｄ１のフランジ４４２と開口部１４とが結合されると、バスレフポート３０Ｄはエンクロージャ１０Ｄに固定される。
【００６５】
音響装置１Ｄでは、ポート前部材３０Ｄ１の基端部における内径線とポート前部材３０Ｄ１の先端部における内径線の中心軸Ｘ回りの相対角度ηが異なる複数のポート前部材３０Ｄ１が準備されている。例えば、ポート前部材３０Ｄ１の基端部における内径線とポート前部材３０Ｄ１の先端部における内径線の中心軸Ｘ回りの相対角度ηが３６°のポート前部材３０Ｄ１と、当該相対角度ηが１８°のポート前部材３０Ｄ１と、当該相対角度ηが０°のポート前部材３０Ｄ１とが準備されている、という具合である。
【００６６】
音響装置１Ｄの使用に際し、ユーザは、準備された複数のポート前部材３０Ｄ１の中からいずれか１のポート前部材３０Ｄ１を選択する。そして、ユーザは、選択したポート前部材３０Ｄ１とポート後部材３０Ｄ２とを結合し、選択したポート前部材３０Ｄ１のフランジ４４２と開口部１４とを結合して音響装置１Ｄを組み立てる。このようにして組み立てられた音響装置１Ｄのバスレフポート３０Ｄで発生する異音は、ユーザによって選択されたポート前部材３０Ｄ１に応じて異なる。
【００６７】
以上のように、音響装置１Ｄは、内径線の相対角度ηが異なる複数のポート前部材３０Ｄ１の中からユーザによって選択されたポート前部材３０Ｄ１によって構成されるバスレフポート３０Ｄに応じた音質の音を放射する。従って、第１実施形態と同様に、音響装置１Ｄから放射される音の音質を調整することができる。
【００６８】
＜他の実施形態＞
以上、この発明の各実施形態について説明したが、この発明には他にも実施形態が考えられる。例えば次の通りである。
【００６９】
（１）第１実施形態の音響装置１では、側端部３４２の基端部を第１横断面と想定し、側端部３４２の先端部を第２横断面と想定していた。しかし、第１横断面および第２横断面は、それら第１横断面および第２横断面に挟まれる区間のバスレフポートの素材を弾性体とする任意の位置に設定され得る。例えば、第１横断面および第２横断面を側端部３４２の基端部と先端部との間の途中の位置に設定しても良い。
【００７０】
（２）第１実施形態の音響装置１では、バスレフポート３０の側端部３４４の先端部がポート留め具６２および６４によってエンクロージャ１０に固定されていた。しかし、エンクロージャ１０に固定されるバスレフポート３０の位置は、側端部３４４の先端部に限らない。すなわち、バスレフポート３０の第１横断面と第２横断面との間の区間の素材を弾性体としたとき、バスレフポート３０の両開口端のうち第１横断面に近い開口端と第１横断面との間のバスレフポートの少なくとも一部分がエンクロージャに固定されれば良い。例えば、第１実施形態の音響装置１において、バスレフポート３０の側端部３４４の先端部と側端部３４２の基端部との間の中間部３２が固定手段によってエンクロージャに固定されても良い。
【００７１】
また、固定手段として機能するポート留め具６２および６４の形状や個数は、第１実施形態の音響装置１の例に限らない。また、ポート留め具６２および６４は、バスレフポート３０（例えば、フランジ４４４）に対して着脱可能であっても良いし、バスレフポート３０と一体となっていても良い。また、ポート留め具６２および６４は、エンクロージャ１０に対して着脱可能であっても良いし、エンクロージャ１０と一体となっていても良い。
【００７２】
（３）第１実施形態の音響装置１では、フランジ４４２のギア部５２と板バネ５４を角度保持手段として機能させ、第２実施形態の音響装置１Ａでは、多角形のフランジ４４２Ａと多角形の開口部１２Ａを角度保持手段として機能させていた。しかし、角度保持手段の具体的な構成は、これらに限らない。すなわち、角度保持手段は、バスレフポート３０の第１横断面と第２横断面との間の区間の素材を弾性体としたとき、バスレフポート３０の両開口端のうち第２横断面に近い開口端（すなわち、エンクロージャ１０に固定されない側の開口端）と第２横断面との間のバスレフポートの少なくとも一部分をエンクロージャ１０に支持させて、第１横断面内の第１内径線と第２横断面内の第２内径線の中心軸Ｘ回りの相対角度ηを保持することが可能な構成であれば良い。
【００７３】
（４）第１実施形態の音響装置１では、バスレフポート３０の側端部３４２の素材が弾性体であり、側端部３４２の基端部側がエンクロージャ１０に固定され、側端部３４２の先端部がエンクロージャ１０に支持されて中心軸Ｘの周りに回転可能となっていた。しかし、音響装置は、バスレフポート３０の側端部３４２の素材が弾性体であり、バスレフポート３０のバッフル面側の側端部３４２の先端部がエンクロージャ１０（具体的には開口部１４）に固定され、側端部３４２の基端部がエンクロージャ１０に支持されて中心軸Ｘの周りに回転可能となっていても良い。この場合、側端部３４２の先端部を含む横断面を第１横断面と想定し、側端部３４２の基端部を含む横断面を第２横断面と想定することができる。
【００７４】
（５）第１実施形態の音響装置１のバスレフポート３０の側端部３４２は、基準状態において内周面上の山部および谷部が螺旋状になっていた。しかし、側端部３４２は、基準状態において内周面上の山部および谷部が螺旋状になっていなくても良い。すなわち、側端部３４２は、基準状態において、図４（Ｃ）に示す状態のように花冠形状となっていても良い。側端部３４２が弾性体であれば側端部３４２の先端部を回転することで側端部３４２が捩じれることに変わりはないからである。
【００７５】
（６）バスレフポート３０に、ユーザによる回転操作を補助する手段を設けても良い。例えば、側端部３４２の先端部側のフランジ４４２の正面にツマミのような突出部を設ける、という具合である。
【００７６】
（７）第１実施形態の音響装置１では、バスレフポート３０の側端部３４２の先端部（具体的にはフランジ４４２）を回転する操作をユーザが手動で行っていた。しかし、バスレフポート３０の側端部３４２の先端部を回転する操作をアクチュエータ等の駆動機構により行っても良い。
【００７７】
例えば、第１実施形態の音響装置１の板バネ５４に代えてアクチュエータの一例であるステッピングモータなどを用いることで実現することができる。この例では、ステッピングモータのロータには、フランジ４４２のギア部５２に噛み合わされるギアが接続される。ステッピングモータのロータが外部装置から与えられる信号に応じて回転することで、ロータに接続されるギアが回転する。その結果、ギア部５２の噛み合わせ位置が変わり、フランジ４４２が中心軸Ｘを中心に回転する。
【００７８】
また、バスレフポート３０の側端部３４２の先端部の回転角度（換言すると、側端部３４２の捩じり量）を音響装置１の放音対象のコンテンツの種類などによって制御するようにしても良い。図１０は、この態様の音響装置１Ｅの構成を示すブロック図である。この態様の音響装置１Ｅの制御部７１には、外部装置から放音対象のコンテンツを表す信号が与えられる。制御部７１に与えられるコンテンツを表す信号には、当該コンテンツの種類を識別する識別情報（例えば、当該コンテンツが映画の音声であるか音楽鑑賞用の音声であるかなどを示す情報）が含まれている。制御部７１は、与えられた信号をスピーカユニット７３に出力する。並行して、制御部７１は、コンテンツの種類を識別する識別情報と側端部３４２の先端部の回転角度とを対応付けたテーブルを参照して、与えられた信号に含まれる識別情報に対応する側端部３４２の先端部の回転角度を決定する。そして、制御部７１は、決定した当該回転角度に相当するアクチュエータ（ステッピングモータ）７２の回転量を示す情報をアクチュエータ７２に出力する。このように、この態様の音響装置１Ｅでは、コンテンツの種類毎にバスレフポート３０の側端部３４２の捩じり量が変わるため、この態様の音響装置１Ｅを用いれば、ユーザは、放音対象の音を適切な音質で聴くことができる。なお、音響装置１Ｅに制御部７１を設ける態様に限らず、音響装置１Ｅの外部の装置に音響装置１Ｅのアクチュエータに与える信号を制御する制御部を設けても良い。
【００７９】
（８）各形態の音響装置として市場に提供するだけでなく、各形態の音響装置に採用されるバスレフポート単体で市場に提供しても良い。バスレフポートを音響装置に取り付けることで各形態の音響装置を実現することができるからである。また、各形態のバスレフポートの特徴は、バスレフポートのように空気の流路となる管体にも適用され得る。例えば、本発明は、二輪車および四輪車などの車両のマフラーや空気設備の吸排気ダクトや管楽器等の楽器などを構成する管体にも適用され得る。管体を音が放射される装置にこのような管体を適用した場合に、その装置から放射される音の音質を調整することが可能となるからである。
【符号の説明】
【００８０】
１，１Ａ，１Ｃ，１Ｄ，１Ｅ…音響装置、１０，１０Ａ，１０Ｃ，１０Ｄ，１０Ｅ…エンクロージャ、１１，１２，１２Ａ，１２Ｃ，１３…板材、１４，１４Ａ，１４Ｃａ，１４Ｃｂ，１４Ｃｃ…開口部、３０，３０Ａ，３０Ｃａ，３０Ｃｂ，３０Ｃｃ，３０Ｅ…バスレフポート、３４２，３４４…側端部、３２…中間部、３６２，３６４…開口端、３０Ｄ１…ポート前部材、３０Ｄ２…ポート後部材、４４２，４４４…フランジ、５２…ギア部、５４…板バネ、６２，６４…ポート留め具、７１…制御部、７２…アクチュエータ、７３…スピーカユニット。
【図１】
2017059880.tif 000003
【図２】
2017059880.tif 000004
【図３】
2017059880.tif 000005
【図４】
2017059880.tif 000006
【図５】
2017059880.tif 000007
【図６】
2017059880.tif 000008
【図７】
2017059880.tif 000009
【図８】
2017059880.tif 000010
【図９】
2017059880.tif 000011
【図１０】
2017059880.tif 000012